(57)【特許請求の範囲】
【請求項１】
リード線を有するマイクと、
弾性材料で形成され、前記マイクに装着可能なマイクブッシュと、
前記マイクブッシュを装着した前記マイクを収容する収容部が形成される本体部材とを備え、
前記マイクブッシュの端には、折りたたみ可能な舌片部が延出形成され、
前記舌片部の近傍には、前記リード線を挿通させる挿通孔が形成され、
前記マイクブッシュを装着した前記マイクを前記収容部に収容することで、前記舌片部が折りたたまれて前記挿通孔から引き出された前記リード線を押圧することを特徴とする電子機器。
【請求項２】
前記収容部には、前記マイクブッシュを装着した前記マイクを前記収容部に収容する際に前記挿通孔から引き出された前記リード線を配置するスリットが形成され、
前記マイクブッシュを装着した前記マイクを前記収容部に収容することで、前記スリット内で前記舌片部が前記挿通孔から引き出された前記リード線を挟み込むように、前記舌片部が折りたたまれることを特徴とする請求項１に記載の電子機器。
【請求項３】
前記マイクブッシュには、前記マイクに前記マイクブッシュを装着する際に、前記リード線を前記マイクブッシュの内側から前記マイクブッシュの外側に引き出す第１の挿通孔と、前記第１の挿通孔から引き出された前記リード線を挿通させる第２の挿通孔とが形成され、
前記舌片部は、前記第２の挿通孔の近傍から延出されることを特徴とする請求項２に記載の電子機器。
【請求項４】
前記第１の挿通孔は、前記マイクブッシュの底面に形成され、
前記第２の挿通孔は、前記舌片部に形成されることを特徴とする請求項３に記載の電子機器。
【請求項５】
前記マイクブッシュの底面には、突起が形成され、
前記マイクブッシュを装着した前記マイクを前記収容部に収容することで、前記突起が、前記第１の挿通孔から引き出されて前記第２の挿通孔に挿入されない前記リード線を押圧することを特徴とする請求項１に記載の電子機器。
【請求項６】
前記マイクブッシュに覆われた前記マイクを前記収容部に収容することで、
前記舌片部が前記挿通孔を塞ぐように、前記舌片部が折りたたまれることを特徴とする請求項１に記載の電子機器。
【発明の詳細な説明】
【技術分野】
【０００１】
本発明は、電子機器に関し、特にリード線を有するマイクを備える電子機器に関する。
【背景技術】
【０００２】
マイクの周囲をゴムなどの弾性材料で形成したマイクホルダで覆って、電子機器内部に配置することで、雑音を低減させることが知られている。（特許文献１参照）
【先行技術文献】
【特許文献】
【０００３】
【特許文献１】特開２００７−１９４７０８号公報
【発明の概要】
【発明が解決しようとする課題】
【０００４】
マイクに接続されるリード線が振動することによっても、雑音が発生する。しかしながら、上述の特許文献に開示された従来技術では、マイクホルダによってマイクの振動を抑えることはできるものの、リード線が振動することに対しては考慮されていない。
【０００５】
本発明の目的は、部品を増加させることなく、わずかな空間でマイクの振動を抑えるとともに、マイクに接続されるリード線の振動を抑えることが可能な電子機器を提供することにある。
【課題を解決するための手段】
【０００６】
上記目的を達成するために、本発明の電子機器は、リード線を有するマイクと、弾性材料で形成され、前記マイクに装着可能なマイクブッシュと、前記マイクブッシュを装着した前記マイクを収容する収容部が形成される本体部材とを備え、前記マイクブッシュの端には、折りたたみ可能な舌片部が延出形成され、前記舌片部の近傍には、前記リード線を挿通させる挿通孔が形成され、前記マイクブッシュを装着した前記マイクを前記収容部に収容することで、前記舌片部が折りたたまれて前記挿通孔から引き出された前記リード線を押圧することを特徴とする。
【発明の効果】
【０００７】
本発明によれば、部品を増加させることなく、わずかな空間でマイクの振動を抑えるとともに、マイクに接続されるリード線の振動を抑えることができる。
【図面の簡単な説明】
【０００８】
【図１】本発明を実施した電子機器の一例であるデジタルカメラ１１の外観斜視図である。
【図２】（ａ）はデジタルカメラ１１からフロントカバー１２を取り外した状態を示す斜視図である。（ｂ）は取り外したフロントカバー１２を内側から見た斜視図である。
【図３】（ａ）はデジタルカメラ１１から取り外した電池ボックス２２の外観斜視図である。（ｂ）は図３（ａ）に示す電池ボックス２２からマイクユニット２１およびメイン基板３２を取り外した状態を示す斜視図である。
【図４】マイクユニット２１の組み立て方法を説明する図である。
【図５】図４（ｃ）の状態に組み立てられたマイクユニット２１を、電池ボックス２２の収容部２２ａに収容する様子を説明する図である。
【図６】図１のＡ−Ａ断面のうち、マイクユニット２１の周囲を拡大した断面図である。
【図７】（ａ）は本発明を実施した電子機器の一例であるデジタルカメラ１１０の外観斜視図である。（ｂ）はデジタルカメラ１１０からフロントカバー１２０およびリアカバー１３０を取り外した状態を示す斜視図である。
【図８】（ａ）はマイクユニット２１０がトップベース２００に形成される収容部２００ａに収容されている様子を示す斜視図である。（ｂ）は図８（ａ）に示すトップベース２００からマイクユニット２１０を取り外した状態を示す斜視図である。
【図９】マイクユニット２１０の組み立て方法を説明する図である。
【図１０】マイクユニット２１０を、トップベース２００の収容部２００ａに収容する様子を説明する図である。
【発明を実施するための形態】
【０００９】
以下、本発明の好ましい実施の形態を図面に基づいて詳細に説明する。
【００１０】
（第１の実施形態）
図１は、本発明を実施した電子機器の一例であるデジタルカメラ１１の外観斜視図である。
【００１１】
図１に示すように、デジタルカメラ１１の前面はフロントカバー１２で覆われ、デジタルカメラ１１の背面はリアカバー１３で覆われている。デジタルカメラ１１の前面にはレンズユニット１４が配置される。フロントカバー１２には、マイク孔１２ａが形成される。マイク孔１２ａは、レンズユニット１４の光軸と平行な貫通孔である。マイク孔１２ａは、レンズユニット１４の近傍に形成される。
【００１２】
図２（ａ）は、デジタルカメラ１１からフロントカバー１２を取り外した状態を示す斜視図である。図２（ｂ）は、取り外したフロントカバー１２を内側から見た斜視図である。
【００１３】
図２（ａ）に示すように、デジタルカメラ１１の内部には、レンズユニット１４、電池ボックス２２、ストロボ発光ユニット１５が配置されている。電池ボックス２２には、デジタルカメラ１１の電源となる電池が収納される。電池ボックス２２には、マイクユニット２１を収容する収容部２２ａが形成されている。マイクユニット２１は、マイク孔１２ａの直下に配置される。電池ボックス２２は、本体部材として機能する。
【００１４】
図２（ｂ）に示すように、フロントカバー１２の内側には、マイク孔１２ａを囲むリブ形状部１２ｂが形成されている。フロントカバー１２をデジタルカメラ１１に取り付けたとき、リブ形状部１２ｂはマイクユニット２１に密着し、マイクユニット２１の前方に音響空間を形成する。
【００１５】
図３（ａ）は、デジタルカメラ１１から取り外した電池ボックス２２の外観斜視図である。
【００１６】
図３（ａ）に示すように、電池ボックス２２には、収容部２２ａ、スリット２２ｂおよびピン２２ｃが形成されている。マイクユニット２１は収容部２２ａに収容されている。マイクユニット２１は収容部２２ａに収容されるとき、リード線３１はスリット２２ｂの上側を通過し、スリット２２ｂの下側に配置される。リード線３１はピン２２ｃの間に保持され、接着剤で固定される。ピン２２ｃの間隔はリード線３１を傷つけることなく保持することができる程度に設定される。電池ボックス２２の裏面には、メイン基板３２が取り付けられる。リード線３１はメイン基板３２に半田付けされている。
【００１７】
図３（ｂ）は、図３（ａ）に示す電池ボックス２２からマイクユニット２１およびメイン基板３２を取り外した状態を示す斜視図である。
【００１８】
図３（ｂ）に示すように、収容部２２ａは、マイクユニット２１の側面および底面を囲むように形成される。スリット２２ｂは、収容部２２ａの側面の一部を切り欠くように形成される。
【００１９】
マイクユニット２１は、マイクエレメント４１、リード線３１およびマイクブッシュ４２から構成されている。リード線３１は一端がマイクエレメント４１に半田付けされ、他端がメイン基板３２に半田付けされる。マイクブッシュ４２は、シリコンゴムなどの弾性材料で形成され、リード線３１の一端が半田付けされたマイクエレメント４１に装着可能な形状に形成されている。すなわち、マイクユニット２１は、マイクエレメント４１にリード線３１を半田付けし、さらにマイクブッシュ４２を装着したユニットである。
【００２０】
電池ボックス２２の前面側（フロントカバー１２で覆われる面側）からマイクユニット２１を収容部２２ａに収容する。
【００２１】
図４は、マイクユニット２１の組み立て方法を説明する図である。
【００２２】
図４（ａ）は、リード線３１をマイクエレメント４１に半田付けし、マイクブッシュ４２をマイクエレメント４１に装着する前の状態を示す図である。
【００２３】
図４（ａ）に示すように、マイクエレメント４１には集音部４１ａが形成される。マイクブッシュ４２には、マイクエレメント４１に装着したときに、集音部４１ａを露出させる開口部４２ａが形成される。マイクブッシュ４２には、マイクエレメント４１に装着したときに、リード線３１をマイクブッシュ４２の内側から外側に挿通させる第１の挿通孔４２ｂが形成される。マイクブッシュ４２の端には、舌片部４２ｄが水平方向に延出形成される。舌片部４２ｄは、舌片部４２ｄを二つ折りすることができる程度の厚みに形成される。これによって、舌片部４２ｄは、折りたたみ可能に形成される。
【００２４】
図４（ｂ）は、リード線３１を開口部４２ａからマイクブッシュ４２の内側に入れ、第１の挿通孔４２ｂから引き出した状態を示す図である。
【００２５】
図４（ｂ）に示すように、マイクブッシュ４２には、第１の挿通孔４２ｂから引き出されたリード線３１を挿通させる第２の挿通孔４２ｃが形成される。第２の挿通孔４２ｃは、舌片部４２ｄに形成されている。
【００２６】
第２の挿通孔４２ｃの大きさは、リード線３１の断面積と略等しい程度の面積となるように形成される。第２の挿通孔４２ｃの大きさがリード線３１の断面積より大幅に大きい場合には、第２の挿通孔４２ｃの中でリード線３１が暴れてしまうので、好ましくない。一方、第２の挿通孔４２ｃの大きさがリード線３１の断面積より大幅に小さい場合には、リード線３１を挿通させることが困難になってしまう。
【００２７】
マイクブッシュ４２を底面から見ると、第１の挿通孔４２ｂと第２の挿通孔４２ｃとが対角線上に形成されている。マイクブッシュ４２の底面には、リング状の突起４２ｅが形成されている。
【００２８】
図４（ｃ）は、マイクエレメント４１をマイクブッシュ４２の内側に挿入した状態を示す図である。マイクブッシュ４２の開口部４２ａの開口径は、マイクエレメント４１の外径よりも小さいので、マイクブッシュ４２の開口部４２ａを広げて、マイクエレメント４１をマイクブッシュ４２の内側に挿入する。マイクブッシュ４２をマイクエレメント４１に装着すると、マイクエレメント４１の集音部４１ａ以外は、マイクブッシュ４２に覆われる。
【００２９】
図４（ｃ）に示すように、第１の挿通孔４２ｂから引き出されたリード線３１は第２の挿通孔４２ｃに挿通される。第１の挿通孔４２ｂから引き出されて第２の挿通孔４２ｃに挿通されないリード線３１は、リング状の突起４２ｅを横切るように配置される。マイクユニット２１は、図４（ｃ）の状態で、電池ボックス２２の収容部２２ａに収容される。
【００３０】
図５は、図４（ｃ）の状態に組み立てられたマイクユニット２１を、電池ボックス２２の収容部２２ａに収容する様子を説明する図である。図５は、電池ボックス２２の収容部２２ａをスリット２２ｂが形成される方向（図３の矢印Ｙ方向）から見た図である。
【００３１】
図５（ａ）に示すように、電池ボックス２２の収容部２２ａに収容する際には、リード線３１およびマイクブッシュ４２の舌片部４２ｄがスリット２２ｂの上方に位置するように、マイクユニット２１の向きを調整する。マイクユニット２１を図５（ａ）の状態から矢印Ａの方向に移動させると、図５（ｂ）の状態になる。
【００３２】
図５（ｂ）に示すように、マイクユニット２１が電池ボックス２２の収容部２２ａに収容され始めるとともに、リード線３１およびマイクブッシュ４２の舌片部４２ｄがスリット２２ｂの上側に挿入される。スリット２２ｂは、二段階の幅を持つように形成されている。スリット２２ｂの上側の幅は舌片部４２ｄの幅よりも狭く形成されているので、舌片部４２ｄは、図５（ｂ）に示すように、舌片部４２ｄ同士が重なるように、二つ折りされる。スリット２２ｂの上側の幅は、舌片部４２ｄの厚みの２倍にリード線３１の外径を加算した寸法よりも大きな寸法で形成されている。したがって、リード線３１およびマイクブッシュ４２の舌片部４２ｄがスリット２２ｂの上側を通過するときには、舌片部４２ｄは二つ折りになるが、リード線３１は舌片部４２ｄに押圧されていない。
【００３３】
マイクユニット２１を図５（ｂ）の状態からさらに矢印Ａの方向に移動させると、図５（ｃ）の状態になる。
【００３４】
図５（ｃ）に示すように、マイクユニット２１が電池ボックス２２の収容部２２ａに収容され、リード線３１およびマイクブッシュ４２の舌片部４２ｄがスリット２２ｂの下側に挿入される。スリット２２ｂの下側の幅は、舌片部４２ｄの厚みの２倍にリード線３１の外径を加算した寸法よりも小さな寸法で形成されている。したがって、リード線３１およびマイクブッシュ４２の舌片部４２ｄがスリット２２ｂの下側に位置するときには、舌片部４２ｄが押し潰されて、リード線３１はスリット内で舌片部４２ｄに押圧されることとなる。
【００３５】
図５（ｃ）の状態となるとき、マイクブッシュ４２は電池ボックス２２の収容部２２ａに圧入された状態となる。したがって、マイクブッシュ４２に形成される第１の挿通孔４２ｂは、電池ボックス２２の収容部２２ａによって密閉される。これによって、第１の挿通孔４２ｂから雑音や振動がマイクブッシュ４２の内側に入ることを抑制できる。
【００３６】
また、マイクブッシュ４２が収容部２２ａに圧入されることで、マイクブッシュ４２が押し潰される。これによって、第１の挿通孔４２ｂから引き出されるリード線３１は収容部２２ａとマイクブッシュ４２に挟まれる。
【００３７】
図６は、図１のＸ−Ｘ断面のうち、マイクユニット２１の周囲を拡大した断面図である。
【００３８】
図６に示すように、収容部２２ａの背面側には、シャーシ６１に当接する当接部２２ｄが形成されている。フロントカバー１２のリブ形状部１２ｂをマイクブッシュ４２に押し当てると、当接部２２ｄがシャーシ６１に当接して、フロントカバー１２のリブ形状部１２ｂは、寸法Ｓだけマイクブッシュ４２を押し潰す。これによって、リブ形状部１２ｂはマイクユニット２１に密着し、マイクユニット２１の前方に音響空間を形成する。
【００３９】
マイクユニット２１は、フロントカバー１２のリブ形状部１２ｂに押圧されるので、マイクブッシュ４２の底面でリング状の突起４２ｅを横切るリード線３１は、リング状の突起４２ｅで押圧される。
【００４０】
図６に示すように、マイクエレメント４１の底面とマイクブッシュ４２の内側の底面との間には間隔Ｔが形成されている。間隔Ｔを調整することで、リング状の突起４２ｅがリング状の突起４２ｅを横切るリード線３１を押圧する力を調節することができる。すなわち、間隔Ｔを大きくすれば、リング状の突起４２ｅがリード線３１を押圧する力を小さくすることができ、間隔Ｔを小さくすれば、リング状の突起４２ｅがリード線３１を押圧する力を大きくすることができる。
【００４１】
以上、説明したように、本実施形態によれば、新たな部品を追加することなく、マイクブッシュ４２から引き出されるリード線３１の振動を抑制することが可能となる。
【００４２】
（第２の実施形態）
図７（ａ）は、本発明を実施した電子機器の一例であるデジタルカメラ１１０の外観斜視図である。
【００４３】
図７（ａ）に示すように、デジタルカメラ１１０の前面はフロントカバー１２０で覆われ、デジタルカメラ１１０の背面はリアカバー１３０で覆われている。デジタルカメラ１１０の前面にはレンズユニット１４０が配置される。リアカバー１３０の上面には、マイク孔１３０ａが形成される。マイク孔１３０ａは、レンズユニット１４の光軸と直交する貫通孔である。
【００４４】
図７（ｂ）は、デジタルカメラ１１０からフロントカバー１２０およびリアカバー１３０を取り外した状態を示す斜視図である。
【００４５】
図７（ｂ）に示すように、デジタルカメラ１１０の内部には、レンズユニット１４０、電池ボックス２２０、ストロボ発光ユニット１５０およびトップベース２００が配置されている。トップベース２００には、ズームリング、レリーズボタン等の操作部材が配置される。トップベース２００には、マイクユニット２１０を収容する収容部２００ａが形成されている。マイクユニット２１０は、マイク孔１３０ａの直下に配置される。トップベース２００は、本体部材として機能する。
【００４６】
図８（ａ）は、マイクユニット２１０がトップベース２００に形成される収容部２００ａに収容されている様子を示す斜視図である。マイクユニット２１０が収容部２００ａに収容されるとき、リード線３１０はスリット２００ｂ内に配置される。トップベース２００の裏面には、ズームスイッチやレリーズスイッチなどが実装される操作系基板３２０が取り付けられる。リード線３１は操作系基板３２０に半田付けされている。
【００４７】
図８（ｂ）は、図８（ａ）に示すトップベース２００からマイクユニット２１０を取り外した状態を示す斜視図である。
【００４８】
図８（ｂ）に示すように、収容部２００ａは、マイクユニット２１０の側面および底面を囲むように形成される。スリット２００ｂは、収容部２００ａの側面の一部を切り欠くように形成される。
【００４９】
マイクユニット２１０は、マイクエレメント４１０、リード線３１０およびマイクブッシュ４２０から構成されている。リード線３１０は一端がマイクエレメント４１０に半田付けされ、他端が操作系基板３２０に半田付けされる。マイクブッシュ４２０は、シリコンゴムなどの弾性材料で形成され、リード線３１０の一端が半田付けされたマイクエレメント４１０に装着可能な形状に形成されている。すなわち、マイクユニット２１０は、マイクエレメント４１０にリード線３１０を半田付けし、さらにマイクブッシュ４２０を装着したユニットである。
【００５０】
トップベース２００の上面側（リアカバー１３０で覆われる面側）からマイクユニット２１０を収容部２００ａに収容する。
【００５１】
図９は、マイクユニット２１０の組み立て方法を説明する図である。
【００５２】
図９（ａ）は、リード線３１０をマイクエレメント４１０に半田付けし、マイクブッシュ４２０をマイクエレメント４１０に装着する前の状態を示す図である。
【００５３】
図９（ａ）に示すように、マイクエレメント４１０には集音部４１０ａが形成される。マイクブッシュ４２０には、マイクエレメント４１０に装着したときに、集音部４１０ａを露出させる開口部４２０ａが形成される。マイクブッシュ４２０には、マイクエレメント４１０に装着したときに、リード線３１０をマイクブッシュ４２０の内側から外側に挿通させる第１の挿通孔４２０ｂが形成される。第１の挿通孔４２０ｂが形成されるマイクブッシュ４２０の端には、舌片部４２０ｄが水平方向に延出形成される。舌片部４２０ｄは、マイクブッシュ４２０に向けて折りたたむことができる程度の厚みに形成される。したがって、舌片部４２０ｄは、第１の挿通孔４２０ｂを塞ぐように、マイクブッシュ４２０に向けて折りたたむことができる。
【００５４】
図９（ｂ）は、マイクエレメント４１０をマイクブッシュ４２０の内側に挿入した状態を示す図である。マイクブッシュ４２０の開口部４２０ａの開口径は、マイクエレメント４１０の外径よりも小さいので、マイクブッシュ４２０の開口部４２０ａを広げて、マイクエレメント４１０をマイクブッシュ４２０の内側に挿入する。マイクブッシュ４２０をマイクエレメント４１０に装着すると、マイクエレメント４１０の集音部４１０ａ以外は、マイクブッシュ４２０に覆われる。リード線３１０は開口部４２０ａからマイクブッシュ４２０の内側に入れ、第１の挿通孔４２０ｂから引き出される。
【００５５】
図９（ｂ）に示すように、リード線３１０を第１の挿通孔４２０ｂから引き出すと、リード線３１０は、舌片部４２０ｄの上面に引き出される。
【００５６】
第１の挿通孔４２０ｂの大きさは、リード線３１０の断面積と略等しい程度の面積となるように形成される。第１の挿通孔４２０ｂの大きさがリード線３１０の断面積より大幅に大きい場合には、第１の挿通孔４２０ｂの中でリード線３１０が暴れてしまうので、好ましくない。一方、第１の挿通孔４２０ｂの大きさがリード線３１０の断面積より大幅に小さい場合には、リード線３１０を挿通させることが困難になってしまう。
【００５７】
図９（ｃ）は、舌片部４２０ｄの上面に引き出されたリード線３１０を折り曲げた状態を示す図である。図９（ｃ）に示すように、舌片部４２０ｄの上面に引き出されたリード線３１０をマイクブッシュ４２０の側面に沿って曲げる。その後、リード線３１０がトップベース２００に形成されるスリット２００ｂに収納できるように、リード線３１０をさらに曲げる。スリット２００ｂに収納するようにリード線３１０を曲げる位置は、舌片部４２０ｄをマイクブッシュ４２０に向けて折りたたんだ際に、舌片部４２０ｄの端近傍となる位置である。マイクユニット２１は、図９（ｃ）の状態で、電池ボックス２２０の収容部２００ａに収容される。
【００５８】
図９（ｄ）は、舌片部４２０ｄをマイクブッシュ４２０に向けて折りたたんだ状態を示す図である。マイクユニット２１０が収容部２００ａに完全に収容されると、マイクユニット２１０は図９（ｄ）の状態となる。
【００５９】
図１０（ａ）は、収容部２００ａにマイクユニット２１０が収容されたトップベース２００を上面から見た図である。
【００６０】
図１０（ｂ）および（ｃ）は、図９（ｃ）の状態に組み立てられたマイクユニット２１０を、トップベース２００の収容部２００ａに収容する様子を説明する図である。図１０（ｂ）および（ｃ）は、図１０（ａ）のＺ−Ｚ断面である。
【００６１】
図１０（ａ）に示すように、トップベース２００の収容部２００ａに収容する際には、舌片部４２０ｄの端近傍で折り曲げたリード線３１０がスリット２００ｂの上方に位置するように、マイクユニット２１０の向きを調整する。マイクユニット２１０を図１０（ｂ）の状態から矢印Ｂの方向に移動させると、図１０（ｃ）の状態になる。
【００６２】
図１０（ｂ）に示すように、マイクユニット２１０がトップベース２００の収容部２００ａに収容され始めると、マイクブッシュ４２０の舌片部４２０ｄがマイクブッシュ４２０に向けて折りたたまれる。折りたたまれた舌片部４２０ｄは、マイクブッシュ４２０の側面に沿って曲げたリード線３１０を押圧する。マイクブッシュ４２０の側面に沿って曲げたリード線３１０はマイクブッシュ４２０と舌片部４２０ｄとの間で挟まれることで、リード線３１０の振動が抑制される。また、マイクブッシュ４２０の舌片部４２０ｄがマイクブッシュ４２０に向けて折りたたまれることで、折りたたまれた舌片部４２０ｄは、マイクブッシュ４２０の第１の挿通孔４２０ｂを塞いでいる。これによって、第１の挿通孔４２０ｂから雑音や振動がマイクブッシュ４２０の内側に入ることを抑制できる。
【００６３】
以上、説明したように、本実施形態によれば、新たな部品を追加することなく、マイクブッシュ４２０から引き出されるリード線３１０の振動を抑制することが可能となる。
【００６４】
以上、本発明の好ましい実施形態について説明したが、本発明はこれらの実施形態に限定されず、その要旨の範囲内で種々の変形及び変更が可能である。
【符号の説明】
【００６５】
２１，２１０  マイクユニット
２２  電池ボックス
２２ａ，２００ａ  収容部
２２ｂ，２００ｂ  スリット
３１，３１０  リード線
４２，４２０  マイクブッシュ
４２ｄ，４２０ｄ  舌片部
【図１】
0005456082.tif 000002
【図２】
0005456082.tif 000003
【図３】
0005456082.tif 000004
【図４】
0005456082.tif 000005
【図５】
0005456082.tif 000006
【図６】
0005456082.tif 000007
【図７】
0005456082.tif 000008
【図８】
0005456082.tif 000009
【図９】
0005456082.tif 000010
【図１０】
0005456082.tif 000011